(57)【特許請求の範囲】
【請求項１】
複数の鍵と、
１以上の鍵を支持する１以上のフレームと、
前記鍵と前記フレームとの間に配置され、スケール方向に可撓性を有する１以上の可撓部と、
前記可撓部と前記鍵とを脱着可能に連結する連結部と、
を備え、
隣接する前記鍵に対応する前記連結部の各々は、前記鍵の鍵長手方向で異なる位置に配置されることを特徴とする鍵盤装置。
【請求項２】
前記可撓部は、スケール方向と略直交する方向に広がる平面を有し、
前記連結部は、隣接する前記鍵の前記可撓部とスケール方向で対向することを特徴とする請求項１に記載の鍵盤装置。
【請求項３】
前記複数の鍵のうちの一部の鍵の各々は、スケール方向に略直交する方向に広がる平面を有して前記一部の鍵と前記連結部との間を接続する接続可撓部を備え、
前記一部の鍵と隣接する鍵の前記連結部は、前記接続可撓部とスケール方向で対向することを特徴とする請求項１又は請求項２に記載の鍵盤装置。
【請求項４】
前記連結部は、前記鍵と前記可撓部とのスライド移動によって脱着されることを特徴とする請求項１乃至請求項３のいずれか１項に記載の鍵盤装置。
【請求項５】
前記スライド移動は上下方向の移動であることを特徴とする請求項４に記載の鍵盤装置。
【請求項６】
黒鍵に対応する前記連結部は、白鍵に対応する前記連結部に比べて、前記鍵の鍵長手方向に鍵から遠い位置に設けられていることを特徴とする請求項１乃至請求項５のいずれか１項に記載の鍵盤装置。
【請求項７】
前記フレームは、前記可撓部を支持してスケール方向に延びる支持部と、前記支持部を支持して鍵長手方向に延びる板状部と、を有し、
複数の前記連結部のうちの前記板状部と対向する連結部は、前記板状部と対向しない連結部と異なる形状であることを特徴とする請求項１乃至請求項６のいずれか１項に記載の鍵盤装置。
【請求項８】
前記可撓部は前記鍵の回動方向に可撓性を有することを特徴とする請求項１乃至請求項７のいずれか１項に記載の鍵盤装置。
【請求項９】
低音の前記鍵の前記可撓部の回動中心は、高音の前記鍵の前記可撓部の回動中心に比べて、前記鍵の鍵長手方向において前記鍵から遠い位置に配置されていることを特徴とする請求項１乃至請求項８のいずれか１項に記載の鍵盤装置。
【請求項１０】
複数の前記鍵は、同一形状の第１鍵及び第２鍵を含み、
前記第１鍵と前記フレームとを連結する第１連結部と前記第１鍵の回動中心との距離と、前記第２鍵と前記フレームとを連結する第２連結部と前記第２鍵の回動中心との距離と、が異なることを特徴とする請求項１乃至請求項９のいずれか１項に記載の鍵盤装置。
【請求項１１】
請求項１乃至請求項５のいずれか１項に記載の鍵盤装置と、
前記鍵に対する操作を検出するセンサと、
前記センサの出力信号に応じて音波形信号を生成する音源部と、
を備える電子鍵盤楽器。
【発明の詳細な説明】
【技術分野】
【０００１】
本発明は、鍵盤装置、及び、その鍵盤装置が用いられた電子鍵盤楽器の技術に関する。
【背景技術】
【０００２】
特許文献１には、鍵と、鍵から鍵長手奥方向に接続される水平ヒンジ部と、水平ヒンジ部から鍵長手奥方向に接続される垂直ヒンジ部と、を備える鍵盤装置に関する技術が開示される。
【先行技術文献】
【特許文献】
【０００３】
【特許文献１】特開２００８−１９１６５０号公報
【発明の概要】
【発明が解決しようとする課題】
【０００４】
しかしながら、フレームに対して鍵を連結する場合に、連結部のスケール方向の幅が大きくなってしまい、鍵がスケール方向に移動すると、連結部同士が衝突する可能性がある。
【０００５】
そこで、本発明の課題の一つは、フレームに対して鍵を連結する構成を採用する場合に、連結部同士の衝突が抑制される鍵盤装置を提供することにある。
【課題を解決するための手段】
【０００６】
本発明の一実施形態によると、複数の鍵と、１以上の鍵を支持する１以上のフレームと、前記鍵と前記フレームとの間に配置され、スケール方向に可撓性を有する１以上の可撓部と、前記可撓部と前記鍵とを脱着可能に連結する連結部と、を備え、隣接する前記鍵に対応する前記連結部の各々は、前記鍵の鍵長手方向で異なる位置に配置されることを特徴とする鍵盤装置が提供される。
【０００７】
前記可撓部は、スケール方向と略直交する方向に広がる平面を有し、前記連結部は、隣接する前記鍵の前記可撓部とスケール方向で対向してもよい。
【０００８】
前記複数の鍵のうちの一部の鍵の各々は、スケール方向に略直交する方向に広がる平面を有して前記一部の鍵と前記連結部との間を接続する接続可撓部を備え、前記一部の鍵と隣接する鍵の前記連結部は、前記接続可撓部とスケール方向で対向していてもよい。
【０００９】
前記連結部は、前記鍵と前記可撓部とのスライド移動によって脱着されてもよい。
【００１０】
前記スライド移動は上下方向の移動であってもよい。
【００１１】
黒鍵に対応する前記連結部は、白鍵に対応する前記連結部に比べて、前記鍵の鍵長手方向に鍵から遠い位置に設けられていてもよい。
【００１２】
前記フレームは、前記可撓部を支持してスケール方向に延びる支持部と、前記支持部を支持して鍵長手方向に延びる板状部と、を有し、複数の前記連結部のうちの前記板状部と対向する連結部は、前記板状部と対向しない連結部と異なる形状であってもよい。
【００１３】
前記可撓部は前記鍵の回動方向に可撓性を有してもよい。
【００１４】
低音の前記鍵の前記可撓部の回動中心は、高音の前記鍵の前記可撓部の回動中心に比べて、前記鍵の鍵長手方向において前記鍵から遠い位置に配置されていてもよい。
【００１５】
複数の前記鍵は、同一形状の第１鍵及び第２鍵を含み、前記第１鍵と前記フレームとを連結する第１連結部と前記第１鍵の回動中心との距離と、前記第２鍵と前記フレームとを連結する第２連結部と前記第２鍵の回動中心との距離と、が異なってもよい。
【００１６】
本発明の他の実施形態によると、前記鍵盤装置と、前記筐体に取付けられ、前記鍵の押下に従って反応するセンサと、前記センサの信号に基づいて音を発生する音源と、を備える電子鍵盤楽器が提供される。
【発明の効果】
【００１７】
本発明の一実施形態によれば、フレームに対して鍵を連結する構成を採用する場合に、連結部同士の衝突が抑制される。
【図面の簡単な説明】
【００１８】
【図１】本発明の一実施形態に係る鍵盤装置を備える電子鍵盤楽器の斜視図である。
【図２】電子鍵盤楽器の一部拡大平面図である。
【図３】白鍵を横から見た鍵盤装置の側面図である。
【図４】（Ａ）は白鍵の平面図であり、（Ｂ）は白鍵の側面図である。
【図５】（Ａ）は黒鍵の平面図であり、（Ｂ）は黒鍵の側面図である。
【図６】鍵盤装置の一部拡大平面図である。
【図７】本発明の実施形態の変形例に係る鍵盤装置の一部拡大平面図である。
【図８】（Ａ）は、白鍵が非押下状態にあるときの白鍵とハンマーとの位置関係を示す側面図である。（Ｂ）は、白鍵が押下状態にあるときの白鍵とハンマーとの位置関係を示す側面図である。
【図９】音源装置の構成を示すブロック図である。
【図１０】変形例に係る鍵盤装置の一部拡大平面図である。
【発明を実施するための形態】
【００１９】
以下、本発明の一実施形態における電子鍵盤楽器５００について、図面を参照しながら詳細に説明する。以下に示す実施形態は本発明の実施形態の一例であって、本発明はこれらの実施形態に限定されるものではない。
【００２０】
図１は、本発明の一実施形態に係る鍵盤装置１００を備える電子鍵盤楽器５００の斜視図である。図１に示されるように、電子鍵盤楽器５００は、筐体５０１と、白鍵５１Ｗと黒鍵５１Ｂとを有する鍵盤装置１００と、カバー５０２と、カバー５０３と、を備える。
【００２１】
鍵盤装置１００は筐体５０１に取付けられている。カバー５０２は、筐体５０１に対して開閉可能で閉状態で鍵盤装置１００の全体を覆うように構成されている。カバー５０３は、筐体５０１に対して動くことなく静止して鍵盤装置１００の一部を覆うように構成されている。鍵盤装置１００は、カバー５０３に被覆されない外観部１００Ｘと、カバー５０３に被覆される非外観部１００Ｙ（図２参照）と、を有する。
【００２２】
図２は、電子鍵盤楽器５００の一部拡大平面図である。以下の説明において、鍵盤装置１００の鍵長手方向Ｍにて、演奏者の手前から奥に向かう方向を鍵長手奥方向Ｍ１と呼び、演奏者の奥から手前に向かう方向を鍵長手手前方向Ｍ２と呼ぶ。
【００２３】
鍵盤装置１００は、鍵長手方向Ｍで手前側から奥側へと順に、鍵５１（白鍵５１Ｗと黒鍵５１Ｂ）と、接続部５２（白鍵接続部５２Ｗと黒鍵接続部５２Ｂ）と、フレーム６０と、が配置される。鍵５１は、ユーザが押下するための部分である。接続部５２は、鍵５１から鍵長手奥方向Ｍ１へと延びて鍵５１とフレーム６０の間に接続される部分である。鍵５１と接続部５２とが結合された構成がスケール方向Ｓに複数並べて配置されている。
【００２４】
フレーム６０は、接続部５２よりも鍵長手方向Ｍで鍵長手奥方向Ｍ１側の位置に配置される。フレーム６０は、支持部６０ａと、複数のフレーム小幅部６０Ｗと、複数のフレーム小幅部６０Ｂと、を有する。支持部６０ａは、スケール方向Ｓに延びる部分であり、フレーム小幅部６０Ｗやフレーム小幅部６０Ｂを支持する。フレーム小幅部６０Ｗやフレーム小幅部６０Ｂは、支持部６０ａからスケール方向Ｓと略直交する方向（鍵長手方向Ｍ）に延びる。
【００２５】
鍵盤装置１００の外観部１００Ｘに相当する鍵５１の一の部分は、外部から外観が見える箇所に配置される（図１も参照）。鍵盤装置１００の非外観部１００Ｙに相当する鍵５１の他の部分と接続部５２は、カバー５０３で覆われて外部から外観が見えない箇所に配置されている（図１も参照）。
【００２６】
（白鍵同一形状）
複数の白鍵５１Ｗは、同一形状の白鍵５１Ｗ２１（第１鍵）及び白鍵５１Ｗ２２（第２鍵）を含む。例えば、白鍵５１Ｗ２１（第１鍵）と白鍵５１Ｗ２２（第２鍵）とは、１オクターブ違う鍵であり、これらは相互に同じ形状で形成される。このように、同一形状の白鍵５１Ｗ２１、５１Ｗ２２があることで、白鍵を他のオクターブの配置に使いまわしすることができる。
【００２７】
（黒鍵同一形状）
また、複数の黒鍵５１Ｂは、同一形状の黒鍵５１Ｂ１（第１鍵）及び黒鍵５１Ｂ２（第２鍵）を含む。例えば、黒鍵５１Ｂ１（第１鍵）と黒鍵５１Ｂ２（第２鍵）とは、１〜２本の白鍵５１Ｗを介在させて配置され、これらは相互に同じ形状で形成される。このように、同一形状の黒鍵５１Ｂがあることで、黒鍵を任意の黒鍵の位置に使いまわしすることができる。
【００２８】
図３は、白鍵５１Ｗを横から見た鍵盤装置１００の側面図である。図３に示されるように、フレーム１１は、支持フレーム部１１ａと、支持フレーム部１１ｂと、支持フレーム部１１ｃと、を有する。支持フレーム部１１ａに対して、支持フレーム部１１ｂと支持フレーム部１１ｃとが固定されており、支持フレーム部１１ａ〜１１ｃは、相互に相対移動不可に接続されている。
【００２９】
（支持フレーム部１１ａ）
支持フレーム部１１ａは、回動軸１１Ｘを有し、ハンマー１２を回動可能に支持している。ハンマー１２は、回動軸１１Ｘ（図３中で点線で表示）を中心として回動する。白鍵５１Ｗから下方に延びる押圧部５５が下降してくると、ハンマー１２の鍵長手手前方向Ｍ２側の基端部１２ｂ（図８参照）が下降して、鍵長手奥方向Ｍ１側の先端部１２ａが回動して上昇するように構成されている。
【００３０】
（支持フレーム部１１ｂ）
支持フレーム部１１ｂは支持部１４を支持している。支持部１４は、白鍵５１Ｗが非押下状態のときに重力で下降するハンマー１２の先端部１２ａ側の部分を受け止めて下から支える。支持部１４は、スケール方向Ｓに延びている。ハンマー１２は、側面視で鍵長手奥方向Ｍ１側の部分の方が鍵長手手前方向Ｍ２側の部分よりも長く設定されている。従って、ハンマー１２は、先端部１２ａの方が下方に重力で落ちるように構成されている。また、支持部１４は、ハンマー１２の先端部１２ａの回動範囲の下限を規制する。
【００３１】
（支持フレーム部１１ｃ）
支持フレーム部１１ｃはハンマーストッパ１３を支持している。ハンマーストッパ１３は、白鍵５１Ｗが押下状態のときに上昇するハンマー１２の先端部１２ａ側の部分によって当接される。ハンマーストッパ１３も支持フレーム部１１ｃもスケール方向Ｓに延びている。
【００３２】
また、ここでは、白鍵５１Ｗの押下に応じて動作するハンマー１２と、ハンマー１２の動作を規制するハンマーストッパ１３と、を少なくとも含んで、ハンマー機構３０が構成される。ハンマー機構３０は、その他に、支持フレーム部１１ｃ、支持部１４を含んでいる。
【００３３】
図４（Ａ）は白鍵５１Ｗの平面図であり、図４（Ｂ）は白鍵５１Ｗの側面図である。図４（Ｃ）は、連結部７０とフレーム小幅部６０Ｗとの連結前の構成を示す一部側面図である。図５（Ａ）は黒鍵５１Ｂの平面図であり、図５（Ｂ）は黒鍵５１Ｂの側面図である。フレーム小幅部６０Ｗは、支持部６０ａから延びてスケール方向Ｓに可撓性を有する可撓部６０ｂ（第２領域）と、スケール方向Ｓと鉛直方向Ｅとの両方に可撓性を有する可撓部６０ｄ（ヒンジ）と、を有する。
【００３４】
ここで、フレーム小幅部６０Ｗのうち可撓部６０ｄ以外の部分が可撓部６０ｂに相当し、切欠き部６０ｃは可撓部６０ｂと可撓部６０ｄの縁の一部に相当する。鍵５１と接続部５２は、可撓部６０ｄ（図４（Ｂ）、図５（Ｂ）参照）の部分から鉛直方向Ｅ（図４（Ｂ）、図５（Ｂ）参照）に回動できる。
【００３５】
なお、図４（Ｃ）に示されるフレーム小幅部６０Ｗと連結部７０とは、連結される。その連結にあたっては、フレーム小幅部６０Ｗの第１挿入部６０ｅが連結部７０の挿通口７０ｅに挿入され、フレーム小幅部６０Ｗの第２挿入部６０ｆが連結部７０の挿通口７０ｆに挿入される。図４（Ｃ）の着脱の構成は、黒鍵５１Ｂに関するフレーム小幅部６０Ｂと連結部７０との着脱の構成にも適用される。
【００３６】
可撓部６０ｂは、スケール方向Ｓと略直交する方向に広がる平面を有するために、スケール方向Ｓに対して可撓性を有しており、スケール方向Ｓに撓むことができる。また、可撓部６０ｄは、スケール方向Ｓに可撓性をしていてスケール方向Ｓに撓むことができ、同時に、鉛直方向Ｅに可撓性を有していて鉛直方向Ｅに撓むことができる。従って、可撓部６０ｄは鍵５１の回動方向に可撓性を有するといえる。このために、鍵５１の回動機能をフレーム６０に持たせることができる。その結果、構造が簡素化する。
【００３７】
白鍵５１Ｗに接続される白鍵接続部５２Ｗが、前側小幅部６（第２領域）と、大幅部７（第１領域）と、連結部７０と、を有する。そして、フレーム６０がフレーム小幅部６０Ｗを有する。この一方で、黒鍵５１Ｂに接続される黒鍵接続部５２Ｂが、前側小幅部６（第２領域）と、大幅部７（第１領域）と、奥側小幅部８（第２領域）と、を有する。そして、フレーム６０がフレーム小幅部６０Ｂを有する。以下、白鍵５１Ｗを中心に説明していく。
【００３８】
（前側小幅部）
前側小幅部６（第２領域、第１小幅部、又は、第１弱剛性部ともいう）は、白鍵５１Ｗから鍵長手奥方向Ｍ１へと延びる部分である。前側小幅部６のスケール方向Ｓの幅Ｓ２は、白鍵５１Ｗのスケール方向Ｓの幅Ｓ４よりも狭い。また、前側小幅部６のスケール方向Ｓの幅Ｓ２は、前側小幅部６の鉛直方向Ｅの厚みＨ２よりも薄い寸法に設定されている。簡単に言うと、前側小幅部６は、薄い板状部材が縦になるように配置されている。
【００３９】
従って、前側小幅部６は、スケール方向Ｓの幅Ｓ２が狭いために、白鍵５１Ｗよりもスケール方向Ｓの剛性が弱く、スケール方向Ｓやヨーイング方向Ｙに可撓性を有し、湾曲し易い。前側小幅部６の構成は、黒鍵５１Ｂの場合も白鍵５１Ｗと同様である。
【００４０】
（大幅部）
大幅部７（第１領域、又は、強剛性部ともいう）は、白鍵５１Ｗの側の前側小幅部６から鍵長手奥方向Ｍ１へと延びる部分である。大幅部７のスケール方向Ｓの幅Ｓ１は、前側小幅部６のスケール方向Ｓの幅Ｓ２よりも広い。
【００４１】
従って、大幅部７は、スケール方向Ｓの幅Ｓ１が広いために、前側小幅部６よりもスケール方向Ｓの剛性が強い。なお、大幅部７のスケール方向Ｓの幅Ｓ１は、鍵５１のスケール方向Ｓの幅Ｓ４よりも狭く設定されている。
【００４２】
また、大幅部７は、側面視で上方向に凹む凹部７ａを有する。大幅部７は、凹部７ａがあることで剛性が低下するが、前側小幅部６よりも大きな幅Ｓ１で形成されているので剛性が大きく保たれる。また、前側小幅部６とフレーム小幅部６０Ｗは、凹部７ａ以外の領域の少なくとも一部に形成されれば良い。本実施形態では、前側小幅部６とフレーム小幅部６０Ｗは、凹部７ａを含む大幅部７以外の領域に形成される。
【００４３】
なお、大幅部７のスケール方向Ｓの幅Ｓ１は、大幅部７で凹部７ａが形成されて薄い部分の鉛直方向Ｅの厚みＨ１よりも小さい寸法に設定されている。簡単に言うと、大幅部７は、薄い板状部材が縦になるように配置されている。また、大幅部７の鉛直方向Ｅの厚みＨ１は、前側小幅部６の鉛直方向Ｅの厚みＨ２よりも薄い。大幅部７の構成は、黒鍵５１Ｂの場合も白鍵５１Ｗと同様である。
【００４４】
ここから、図５を参照しつつ黒鍵５１Ｂの説明をする。黒鍵５１Ｂの大幅部７の鍵長手方向Ｍの長さｎ１は、白鍵５１Ｗの大幅部７の鍵長手方向Ｍの長さＮ１よりも短く設定されている。これは、黒鍵５１Ｂ方が白鍵５１Ｗのよりも鍵長手方向Ｍの長さが短く設定されていることにもよる。また、黒鍵５１Ｂ、白鍵５１Ｗに関わらず、大幅部７の鍵長手方向Ｍの長さｎ１、Ｎ１は前側小幅部６の鍵長手方向Ｍの長さｎ２、Ｎ２よりも長く設定されている。
【００４５】
（奥側小幅部）
次に、黒鍵５１Ｂの奥側小幅部８に関して説明する。奥側小幅部８（第２領域、又は、第２小幅部、第２弱剛性部ともいう）は、大幅部７から鍵長手奥方向Ｍ１へと延びる部分である。奥側小幅部８のスケール方向Ｓの幅Ｓ３は、大幅部７のスケール方向Ｓの幅Ｓ１や鍵５１のスケール方向Ｓの幅Ｓ４よりも狭い。また、奥側小幅部８のスケール方向Ｓの幅Ｓ３は、奥側小幅部８の鉛直方向Ｅの厚みＨ３よりも小さい寸法に設定されている。簡単に言うと、奥側小幅部８は、薄い板状部材が縦になるように配置されている。
【００４６】
従って、奥側小幅部８は、スケール方向Ｓの幅Ｓ３が狭いために、大幅部７よりもスケール方向Ｓの剛性が弱く、スケール方向Ｓやヨーイング方向Ｙに可撓性を有し、スケール方向Ｓに湾曲し易い形状であると言える。
【００４７】
本実施形態では、奥側小幅部８のスケール方向Ｓの幅Ｓ３は前側小幅部６のスケール方向Ｓの幅Ｓ２と略同じ幅に設定されている。ただし、奥側小幅部８のスケール方向Ｓの幅Ｓ３が前側小幅部６のスケール方向Ｓの幅Ｓ２よりも大きくても小さくても良い。
【００４８】
なお、前述してきた白鍵５１Ｗと黒鍵５１Ｂの寸法と剛性の関係では、他に以下の特徴もある。前側小幅部６のスケール方向Ｓの幅Ｓ２は、大幅部７のスケール方向Ｓの幅Ｓ１よりも狭い。従って、前側小幅部６は、大幅部７よりもスケール方向Ｓの剛性が弱く、スケール方向Ｓやヨーイング方向Ｙに可撓性を有し、湾曲し易い。大幅部７のスケール方向Ｓの幅Ｓ１は、奥側小幅部８のスケール方向Ｓの幅Ｓ３や、フレーム小幅部６０Ｗ、６０Ｂのスケール方向Ｓの幅Ｓ５よりも広い。従って、大幅部７は、奥側小幅部８よりもスケール方向Ｓの剛性が強い。また、大幅部７の鉛直方向Ｅの厚みＨ１は、奥側小幅部８の鉛直方向Ｅの厚みＨ３よりも薄い。
【００４９】
また、本実施形態では、白鍵５１Ｗの場合には、大幅部７の鍵長手手前方向Ｍ２側（手前側）に前側小幅部６が配置され、大幅部７の鍵長手奥方向Ｍ１側（奥側）にフレーム小幅部６０Ｗが配置される構成であった。白鍵５１Ｗがヨーイング方向Ｙに変形すると、接続部５２（図２参照）とフレーム６０との位置関係がずれてくる。前側小幅部６とフレーム小幅部６０Ｗは、変形によって、その位置関係のずれの影響を抑制する機能を有する。
【００５０】
さらに、本実施形態では、黒鍵５１Ｂの場合には、大幅部７の鍵長手手前方向Ｍ２側（手前側）に前側小幅部６が配置され、大幅部７の鍵長手奥方向Ｍ１側（奥側）に奥側小幅部８とフレーム小幅部６０Ｂが配置される構成であった。黒鍵５１Ｂがヨーイング方向Ｙに変形すると接続部５２（図２参照）とフレーム６０との位置関係がずれてくる。前側小幅部６と奥側小幅部８とフレーム小幅部６０Ｂは、変形によって、その位置関係のずれの影響を抑制する機能を有する。
【００５１】
前述してきたように、白鍵５１Ｗの場合には、連結部７０が鍵長手方向Ｍで大幅部７とフレーム小幅部６０Ｗとの間に設けられる。黒鍵５１Ｂの場合には、連結部７０が鍵長手方向Ｍで奥側小幅部８とフレーム小幅部６０Ｂとの間に設けられる。白鍵５１Ｗの場合と黒鍵５１Ｂの場合とでは、そのような違いがある。ただ、白鍵５１Ｗの場合のフレーム小幅部６０Ｗの鍵長手方向Ｍの長さと、黒鍵５１Ｂの奥側小幅部８とフレーム小幅部６０Ｂとを合計した鍵長手方向Ｍの長さとは、略同じである。
【００５２】
（白鍵の場合の連結部）
白鍵５１Ｗの場合は、鍵長手方向Ｍで、前側小幅部６、大幅部７、連結部７０、フレーム小幅部６０Ｗの順に配置される。このうち、前側小幅部６と大幅部７と連結部７０とが一体成形される。そして、大幅部７と一体形成される連結部７０が、フレーム小幅部６０Ｗに対して着脱可能に連結される。
【００５３】
（黒鍵の場合の連結部）
黒鍵５１Ｂの場合は、鍵長手方向Ｍで、前側小幅部６、大幅部７、奥側小幅部８、連結部７０、フレーム小幅部６０Ｂの順に配置される。このうち、前側小幅部６と大幅部７と奥側小幅部８と連結部７０とが一体成形される。そして、奥側小幅部８と一体成形される連結部７０が、フレーム小幅部６０Ｂに対して着脱可能に連結される。奥側小幅部８は連結部７０よりも鍵長手手前方向Ｍ２に位置し、フレーム小幅部６０Ｂは連結部７０よりも鍵長手奥方向Ｍ１に位置する。
【００５４】
（フレームの支持部の傾斜による特徴）
図６は、連結部７０と可撓部６０ｂとフレーム６０の構成を示す鍵盤装置１００の一部拡大平面図である。この図６では、フレーム６０は、スケール方向Ｓに対して若干右下方向に傾斜して延びているが、傾斜を強調するために、大げさに傾斜させて示されたものである。すなわち、支持部６０ａと鍵５１との間の距離が、低音側から高音側へと行くに従って狭い。
【００５５】
（白鍵同士の関係）
図６に示されるように、低音の白鍵５１Ｗ１の可撓部６０ｂの回動中心Ｊ１は、高音の白鍵５１Ｗ２の可撓部６０ｂの回動中心Ｊ２に比べて、白鍵５１Ｗの鍵長手方向Ｍにおいて白鍵５１Ｗ１、５１Ｗ２から遠い位置に配置されている。すなわち、低音の白鍵５１Ｗ１の回動中心Ｊ１と白鍵５１Ｗ１との間の寸法ｈ１は、高音の白鍵５１Ｗ２の回動中心Ｊ２と白鍵５１Ｗ２との間の寸法ｈ２よりも大きい。
【００５６】
（黒鍵同士の関係）
また、例えば、低音の黒鍵５１Ｂ１の可撓部６０ｂの回動中心Ｂ１は、高音の黒鍵５１Ｂ２の可撓部６０ｂの回動中心Ｂ２に比べて、黒鍵５１Ｂ１の鍵長手方向Ｍにおいて黒鍵５１Ｂ１、５１Ｂ２から遠い位置に配置されている。すなわち、低音の黒鍵５１Ｂ１の回動中心Ｂ１と黒鍵５１Ｂ１との間の寸法ｈ３は、高音の黒鍵５１Ｂ２の回動中心Ｂ２と黒鍵５１Ｂ２との間の寸法ｈ４よりも大きい。
【００５７】
（低音から高音へと黒鍵、白鍵が並ぶ場合の関係）
さらに、低音から高音に向かう方向で並ぶ、黒鍵５１Ｂ１と白鍵５１Ｗ２の場合には、低音側の黒鍵５１Ｂ１の可撓部６０ｂの回動中心Ｂ１は、高音側の白鍵５１Ｗ２の可撓部６０ｂの回動中心Ｊ２に比べて、鍵長手方向Ｍにおいて黒鍵５１Ｂ１、白鍵５１Ｗ２から遠い位置に配置されている。すなわち、低音側の黒鍵５１Ｂ１の回動中心Ｂ１と黒鍵５１Ｂ１との間の寸法ｈ３は、高音側の白鍵５１Ｗ２の回動中心Ｊ２と白鍵５１Ｗ２との間の寸法ｈ２よりも大きい。
【００５８】
（鍵に対する回動中心の位置）
前述してきたように、低音の鍵の可撓部６０ｂの回動中心は、高音の鍵の可撓部６０ｂの回動中心に比べて、鍵の鍵長手方向Ｍにおいて鍵から遠い位置に配置されている。そのために、低音の鍵５１ほど、回動中心Ｊが鍵５１から遠くなるため、グランドピアノと同じようなタッチ感を得ることができる。その結果、操作性が向上する。
【００５９】
（連結部と回動中心との距離）
白鍵５１Ｗ１の第１連結部７０と白鍵５１Ｗ１の回動中心Ｊ１との距離ｋ１と、白鍵５１Ｗ２の第２連結部７０と白鍵５１Ｗ２の回動中心Ｊ２との距離ｋ２と、が異なる。このことから、前述した白鍵５１Ｗ１の回動中心Ｊ１と白鍵５１Ｗ１との間の寸法ｈ１と、白鍵５１Ｗ２の回動中心Ｊ２と白鍵５１Ｗ２との間の寸法ｈ２と、を異ならせるには、その距離ｋ１と距離ｋ２とを異ならせれば良いことが分かる。
【００６０】
（連結部）
隣接する白鍵５１Ｗ１の連結部７０と黒鍵５１Ｂ１の連結部７０とは、鍵長手方向Ｍで互いに異なる位置に設けられている。別の表現をすると、隣接する白鍵５１Ｗ１の連結部７０と黒鍵５１Ｂ１の連結部７０は、スケール方向Ｓで互いにオーバーラップしない位置に配置される。そのために、隣接する白鍵５１Ｗ１の連結部７０と黒鍵５１Ｂ１の連結部７０とは、互いに衝突することが抑制される。
【００６１】
（黒鍵の連結部と白鍵の可撓部との位置関係）
また、黒鍵５１Ｂ１の連結部７０は、白鍵５１Ｗ１の可撓部６０ｂとスケール方向Ｓで対向する。そのために、黒鍵５１Ｂ１の連結部７０と白鍵５１Ｗ１の可撓部６０ｂとが所定間隔で離間した位置に配置されることになり、黒鍵５１Ｂ１の連結部７０の可動領域が大きく確保される。その結果、黒鍵５１Ｂ１の動作の安定性が向上する。これ以外の黒鍵に関しても同様のことが言える。複数の黒鍵５１Ｂの連結部７０は、黒鍵５１Ｂと可撓部６０ｂとを脱着可能に連結する。
【００６２】
（白鍵の連結部と黒鍵の奥側小幅部との位置関係）
白鍵５１Ｗ１の連結部７０は、黒鍵５１Ｂ１の奥側小幅部８とスケール方向Ｓで対向する。ここで、奥側小幅部８（接続可撓部）は、前述したように、黒鍵５１Ｂ１（複数の鍵のうちの一部の鍵）と連結部７０との間を接続している部分である。奥側小幅部８は、スケール方向Ｓに略直交する方向に広がる平面を有しつつ可撓性を有する。
【００６３】
白鍵５１Ｗ１の連結部７０と奥側小幅部８とが対向するために、白鍵５１Ｗ１の連結部７０と黒鍵５１Ｂ１の奥側小幅部８とが所定間隔で離間した位置に配置されることにより、白鍵５１Ｗ１の連結部７０の可動領域が大きく確保される。その結果、白鍵５１Ｗ１の動作の安定性が向上する。これ以外の白鍵に関しても同様のことが言える。複数の白鍵５１Ｗの連結部７０は、白鍵５１Ｗと可撓部６０ｂとを脱着可能に連結する。
【００６４】
連結部７０は、鍵５１と可撓部６０ｂとの上下方向のスライド移動によって脱着される。そのために、スライド移動だけで脱着の実現が可能になり、その結果、作業性が向上する。押鍵時の外力による耐久性を向上させることができ、その結果、機械的強度が向上する。
【００６５】
（黒鍵連結部と黒鍵との距離）
黒鍵５１Ｂの連結部７０は、白鍵５１Ｗの連結部７０に比べて、鍵５１の鍵長手方向Ｍに鍵５１から遠い位置に設けられている。すなわち、黒鍵５１Ｂ１の連結部７０と黒鍵５１Ｂ１との距離ｋ３は、白鍵５１Ｗ２の連結部７０と白鍵５１Ｗ２との距離ｋ４よりも長い。これにより、黒鍵５１Ｂの連結部７０を白鍵５１Ｗよりも鍵長手奥方向Ｍ１に配置することができる。その結果、黒鍵５１Ｂの連結部７０と白鍵５１Ｗの連結部７０とがスケール方向Ｓで隣接しなくなり、連結部７０同士の衝突による破壊やガタが抑制される。
【００６６】
図７は、本発明の実施形態の変形例に係る鍵盤装置１００の一部拡大平面図である。図７に示されるように、白鍵５１Ｗの接続部５２Ｗ同士の間に板状部６１が配置される構成の場合に、連結部７０における板状部６１と対向する側の面７０Ｌを大幅部７（または可撓部６０ｂ）と面一に形成するようにしても良い。ここで面一は、スケール方向Ｓで同じ位置に面を有することを意味している。また、ここで、板状部６１は、支持部６０ａを支持して鍵長手方向Ｍに延びるフレーム６０の部分である。なお、他の鍵の連結部７０は、スケール方向Ｓで大幅部７よりもスケール方向Ｓに突出している。
【００６７】
また、板状部６１に対する連結部７０の面７０Ｌのスケール方向Ｓの距離と板状部６１に対する大幅部７のスケール方向Ｓの距離とを略同じにするように、この連結部７０はスケール方向Ｓには突状に形成されない。このように、複数の連結部７０のうち、板状部６１と対向する連結部７０は、板状部６１と対向しない連結部７０と異なる形状となっている。
【００６８】
このことにより、連結部７０と板状部６１との間の間隔が広く確保される。この構成により、板状部６１が形成されるフレーム６０であっても、鉛直方向Ｅに移動する白鍵５１Ｗの連結部７０が板状部６１に接触することが回避される。
【００６９】
図８（Ａ）は、白鍵５１Ｗが非押下状態にあるときの白鍵５１Ｗとハンマー１２との位置関係を示す側面図である。図８（Ｂ）は、白鍵５１Ｗが押下状態にあるときの白鍵５１Ｗとハンマー１２との位置関係を示す側面図である。
【００７０】
（ハンマー機構と凹部との位置関係）
前述した凹部７ａは、ハンマー１２から当接されるハンマーストッパ１３や、ハンマーストッパ１３を支持する支持フレーム部１１ｃの少なくとも一部を回避する（よける）ように凹んでいる。
【００７１】
支持フレーム部１１ｃは、白鍵５１Ｗが押下状態のときの凹部７ａと略平行に配置されている（図８（Ｂ）参照）。ここでは、凹部７ａにおける仮想線Ｑ１で示される最大凹み面と、支持フレーム部１１ｃにおける仮想線Ｑ２で示される表面と、の間が離間距離ｄまで接近している。このように、白鍵５１Ｗが押下されたときに、凹部７ａと支持フレーム部１１ｃとが極力接近するように構成すると、鍵５１の下方のスペースができる限り無駄なく使用できる。無駄な空間が離間距離ｄまで低減される。なお、支持フレーム部１１ｃと凹部７ａとが極力接近するように構成されれば、必ずしも平行でなくても良い。
【００７２】
また、ハンマー１２は、回動軸１１Ｘよりも鍵長手手前方向Ｍ２側に、センサ押圧部１２ｃを有する。センサ押圧部１２ｃの下方には、鍵５１の押下（操作）を検出するセンサ８１が配置されている。センサ８１と、センサ８１に接続される音源装置８５に関して以下に説明する。
【００７３】
図９は、音源装置８５の構成を示すブロック図である。音源装置８５は、信号変換部８２、音源部８３および出力部８４を備える。センサ８１は、各鍵５１に対応して設けられ、鍵の操作を検出し、検出した内容に応じた信号を出力する。この例では、センサ８１は、３段階の押鍵量に応じて信号を出力する。この信号の間隔に応じて押鍵速度が検出可能である。
【００７４】
信号変換部８２は、センサ８１（８８の鍵５１に対応したセンサ８１−１、８１−２、・・・、８１−８８）の出力信号を取得し、各鍵５１における操作状態に応じた操作信号を生成して出力する。この例では、操作信号はＭＩＤＩ形式の信号である。そのため、押鍵操作に応じて、信号変換部８２はノートオンを出力する。このとき、８８個の鍵５１のいずれが操作されたかを示すキーナンバ、および押鍵速度に対応するベロシティについてもノートオンに対応付けて出力される。一方、離鍵操作に応じて、信号変換部８２はキーナンバとノートオフとを対応付けて出力する。信号変換部８２には、ペダル等の他の操作に応じた信号が入力され、操作信号に反映されてもよい。
【００７５】
音源部８３は、信号変換部８２から出力された操作信号に基づいて、音波形信号を生成する。出力部８４は、音源部８３によって生成された音波形信号を出力する。この音波形信号は、例えば、図示しないスピーカまたは音波形信号出力端子などに出力される。
【００７６】
ここで、図８の説明に戻る。白鍵５１Ｗが押下された状態で、ハンマー機構３０の一部が大幅部７の凹部７ａに位置するように構成されている。ここでいうハンマー機構３０の一部が凹部７ａに位置するとは、ハンマー機構３０の一部が大幅部７の鍵長手方向Ｍの一方の端部Ｐ１と他方の端部Ｐ２とを結んだ仮想線Ｐと凹部７ａとで囲まれた領域の中に位置することをいう。
【００７７】
（ハンマーストッパと凹部との位置関係）
例えば、本実施形態では、鍵５１が押下された状態で、ハンマーストッパ１３は、大幅部７の凹部７ａに位置するように配置されている（図８（Ｂ）参照）。また、本実施形態では、鍵５１が押下されていない状態でも、ハンマーストッパ１３が、大幅部７の凹部７ａに位置するように配置されている（図８（Ａ）参照）。また、鍵５１が押下されていない状態では、ハンマーストッパ１３が大幅部７の凹部７ａに位置していなくても、鍵５１が押下されてから、ハンマーストッパ１３が大幅部７の凹部７ａに位置するように構成しても良い。
【００７８】
このハンマーストッパ１３は、演奏者が白鍵５１Ｗを押下したときにハンマー１２の先端部１２ａが上がる上限位置を規制する機能を有する。また、ハンマー１２がハンマーストッパ１３に当接することで、ユーザは、白鍵５１Ｗを押下したときに、グランドピアノのように鍵５１を押下したときの感触を感ずることができるようにするために設けられている。
【００７９】
実施形態の構成によれば、鍵５１の鍵長手方向Ｍにずれた位置に連結部７０（コネクタ）が設けられていることで、連結部７０同士がスケール方向Ｓに隣接しない構成とすることができる。この構成によって、鍵５１がスケール方向Ｓに動いた場合に連結部７０部同士が衝突することを抑制することができる。その結果、鍵５１の動作の安定性が向上する。
【００８０】
また、前述してきた本実施形態の構成によれば、接続部５２に凹部７ａが形成される。白鍵５１Ｗや黒鍵５１Ｂが押下されたときに、ハンマー機構３０のハンマー１２が凹部７ａの位置に移動できる。白鍵５１Ｗや黒鍵５１Ｂの凹部７ａが、ハンマーストッパ１３の受け入れスペースやハンマー１２の先端部１２ａが侵入するスペースに利用できる。このことで、電子鍵盤楽器５００の鉛直方向Ｅのスリム化が実現されつつ、ハンマー１２の可動範囲が大きく確保される。そして、鍵５１の重いタッチも実現される。
【００８１】
さらに、本実施形態の構成によれば、前側小幅部６及び奥側小幅部８の可撓性が維持されつつ、接続部５２の鉛直方向Ｅの剛性が維持される。
【００８２】
図１０は、変形例に係る鍵盤装置１００の一部拡大平面図である。図１０のようにフレーム６０の支持部６０ａは、支持部６０ａ１〜６０ａ６のように分断したものであっても良い。このように、個々の１つの支持部６０ａ１〜６０ａ６が１つの鍵５１を支持する構成も可能であり、この場合には、各々の鍵５１と支持部６０ａ１〜６０ａ６との間にはスケール方向Ｓに可撓性を有する１以上の可撓部６０ｂが配置されることにもなる。また、図２を参照しつつ前述したように１つの支持部６０ａが２つ以上の鍵５１を支持する構成にして、複数の鍵５１と支持部６０ａとの間に複数の可撓部６０ｂが配置されることも可能である。なお、ボルト８０で支持部６０ａと可撓部６０ｂとを着脱可能に構成することも可能である。
【００８３】
本発明の実施形態として説明した構成を基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【００８４】
また、上述した実施形態の態様によりもたらされる作用効果とは異なる他の作用効果であっても、本明細書の記載から明らかなもの、又は、当業者において容易に予測し得るものについては、当然に本発明によりもたらされると解される。
【符号の説明】
【００８５】
６  前側小幅部、７  大幅部、７Ｌ１  一方の面、７Ｌ２  他方の面、８  奥側小幅部、１１  フレーム、１１Ｘ  回動軸、１２  ハンマー、１３  ハンマーストッパ、１４  支持部、３０  ハンマー機構、５１  鍵、５１Ｗ  白鍵、５１Ｂ  黒鍵、５１Ｗ１  白鍵、５１Ｗ２  白鍵、５１Ｗ３  白鍵、５１Ｗ２１  白鍵、５１Ｗ２２  白鍵、５１Ｂ１  黒鍵、５１Ｂ２  黒鍵、５２  接続部、５２Ｗ  白鍵接続部、５２Ｂ  黒鍵接続部、５５  押圧部、６０  フレーム、６０ａ  支持部、６０ａ１〜６０ａ６  支持部、６１  板状部、７０  連結部、７０Ｌ  面、８１  センサ、８２  信号変換部、８３  音源部、８４  出力部、８５  音源装置、１００  鍵盤装置、１００Ｘ  外観部、１００Ｙ  非外観部、５００  電子鍵盤楽器、５０１  筐体、５０２  カバー、５０３  カバー、Ｍ  鍵長手方向、Ｍ１  鍵長手奥方向、Ｍ２  鍵長手手前方向、Ｓ１  幅、Ｓ２  幅、Ｓ３  幅、Ｈ１  厚み、Ｈ２  厚み、Ｈ３  厚み、Ｌ  スケール方向、Ｂ１  回動中心、Ｂ２  回動中心、Ｊ１  回動中心、Ｊ２  回動中心、ｈ１  寸法、ｈ２  寸法、ｈ３  寸法、ｈ４  寸法、ｋ１  距離、ｋ２  距離
【図１】
0006682944.tif 000002
【図２】
0006682944.tif 000003
【図３】
0006682944.tif 000004
【図４】
0006682944.tif 000005
【図５】
0006682944.tif 000006
【図６】
0006682944.tif 000007
【図７】
0006682944.tif 000008
【図８】
0006682944.tif 000009
【図９】
0006682944.tif 000010
【図１０】
0006682944.tif 000011